(57)【特許請求の範囲】
【請求項１】
冷蔵庫の調節可能な棚装置において、
棚と、該棚の領域を照明するための少なくとも１つのランプとを備えた棚組立体であって、前記少なくとも１つのランプが該棚組立体に取付けられて成る棚組立体と、
摺動可能に連結される第１と第２のスライド要素を有する摺動部材であって、前記第１のスライド要素は前記冷蔵庫の内壁に取付可能であり、前記第２のスライド要素は前記棚組立体に取付可能となっている摺動部材と、
前記棚組立体を前記冷蔵庫内の第１と第２の高さに配置するように、前記第１と第２のスライド要素を第１と第２の相対位置で係脱自在に保持するデテント機構と、
前記内壁に隣接して前記棚組立体とともに移動するように取付けられたシュラウドであって、前記内壁の近傍で前記デテント機構を閉囲する閉囲空間の少なくとも一部分を形成するシュラウドと、
冷蔵庫の内部空間に露出するシュラウドの表面に取り付けられ前記棚を保持する棚ブラケットであって、前記少なくとも１つのランプが設けられて成る棚ブラケットと、
前記閉囲空間内に保持され、前記内壁上の所定部位から前記棚組立体上の所定部位へ導電性経路を形成する柔軟な導体であって、前記第１の相対位置と前記第２の相対位置との間で前記摺動部材が移動するとき、前記閉囲空間内で収縮、延展するサイズに作られた柔軟な導体とを備える棚装置。
【請求項２】
開口部を有したポケット部を更に具備し、
該ポケット部は、前記開口部を前記冷蔵庫の内側に向けて前記内壁に取付可能となっており、該ポケット部が前記シュラウドと協働して前記閉囲空間を形成する請求項１に記載の棚装置。
【請求項３】
前記シュラウドは、前記ポケット部の鉛直方向の高さと、前記第１と第２の相対位置の間の鉛直方向の高さの差との合計よりも小さい鉛直方向の高さを有し、前記シュラウドは、前記内壁に形成された開口部を通じて前記冷蔵庫の内部に連通するよう前記内壁の外側に設置されており、前記開口部は、前記シュラウドの鉛直方向の高さよりも小さい鉛直方向の高さを有し、前記第１と第２の相対位置の双方において、前記シュラウドによって覆われるようになっている請求項２に記載の棚装置。
【請求項４】
前記デテント機構は、互いに係合するマルチステップトラックとピンとを有して成り、一方は前記第１のスライド要素に取付けられ、他方が前記第２のスライド要素に取付けられて、前記第２のスライド要素の一連の上下動作に応答して、前記第２のスライド要素が、前記第１のスライド要素上の２つの異なる高さに安定して静止することを可能にする請求項１に記載の棚装置。
【請求項５】
前記マルチステップトラックは前記棚表面とともに移動するように取付けられ、前記ピンは前記冷蔵庫の前記内壁に固着される請求項４に記載の棚装置。
【請求項６】
前記シュラウドは、前記マルチステップトラックに取付けられ、前記マルチステップトラックを覆う請求項５に記載の棚装置。
【請求項７】
前記柔軟な導体は、前記第１と第２の相対位置の間の鉛直方向の間隔の少なくとも１．５倍の長さを有する請求項１に記載の棚装置。
【請求項８】
前記内壁上の前記所定部位は、前記第１と第２の相対位置の間の全ての位置において前記棚ブラケット上の前記所定部位よりも高くなっている請求項１に記載の棚装置。
【請求項９】
前記第１と第２の相対位置の間で前記柔軟な導体を係脱自在に接続させる電気コネクタを更に含む請求項１に記載の棚装置。
【請求項１０】
前記電気コネクタは、前記第１の相対位置に配置されている請求項９に記載の棚装置。
【請求項１１】
調節可能な棚装置を有した冷蔵庫において、
内壁によって囲繞される開口部を有した冷蔵庫ハウジングと、
棚と、該棚の領域を照明するための少なくとも１つのランプとを備えた棚組立体であって、前記少なくとも１つのランプが該棚組立体に取付けられて成る少なくとも１の棚組立体と、
摺動可能に連結される第１と第２のスライド要素を有する第１と第２の摺動部材であって、前記第１のスライド要素は前記冷蔵庫の内壁の異なる内壁に取付けられ、前記第２のスライド要素は前記棚組立体の両側部に取付けられる第１と第２の摺動部材と、
前記棚組立体を前記冷蔵庫内の第１と第２の高さに配置するように、前記第１と第２のスライド要素を第１と第２の相対位置で係脱自在に保持するデテント機構と、
前記内壁に隣接して前記棚組立体とともに移動するように取付けられたシュラウドであって、前記内壁の近傍で前記デテント機構を閉囲する閉囲空間の少なくとも一部分を形成するシュラウドと、
冷蔵庫の内部空間に露出するシュラウドの表面に取り付けられ前記棚を保持する棚ブラケットであって、前記少なくとも１つのランプが設けられて成る棚ブラケットと、
前記閉囲空間の１つに保持され、前記内壁上の所定部位から前記棚組立体上の所定部へ導電性経路を形成する柔軟な導体であって、前記第１の相対位置と前記第２の相対位置との間で前記第１と第２の摺動部材が移動するとき、前記閉囲空間内で収縮、延展するサイズに作られた柔軟な導体とを備える冷蔵庫。
【請求項１２】
前記冷蔵庫の前記少なくとも１つの内壁は該少なくとも１つの内壁を貫通する開口を有しており、
前記冷蔵庫はポケット部を更に具備し、
該ポケット部は、前記内壁を貫通する前記開口部の外側に取付可能となっており、該ポケット部は前記開口を通してアクセス可能であり、該ポケット部が前記シュラウドと協働して前記閉囲空間を形成する請求項１１に記載の冷蔵庫。
【請求項１３】
前記シュラウドは、前記ポケット部の鉛直方向の高さと、前記第１と第２の相対位置の間の鉛直方向の高さの差との合計よりも小さい鉛直方向の高さを有し、前記開口部は、前記シュラウドの鉛直方向の高さよりも小さい鉛直方向の高さはを有し、前記第１と第２の相対位置の双方において、前記シュラウドによって覆われるようになっている請求項１２に記載の冷蔵庫。
【請求項１４】
冷蔵庫内の棚を調整する方法であって、
前記棚は、
棚と、該棚の領域を照明するための少なくとも１つのランプとを備えた棚組立体であって、前記少なくとも１つのランプが該棚組立体に取付けられて成る棚組立体と、
摺動可能に連結される第１と第２のスライド要素を有する摺動部材であって、前記第１のスライド要素は前記冷蔵庫の内壁に取付可能であり、前記第２のスライド要素は前記棚組立体に取付可能となっている摺動部材と、
前記棚組立体を前記冷蔵庫内の第１と第２の高さに配置するように、前記第１と第２のスライド要素を第１と第２の相対位置で係脱自在に保持するデテント機構であって、該デテント機構は、相互係合式マルチステップトラックおよびピンを有し、一方は前記第１のスライド要素に取付けられ、一方は前記第２のスライド要素に取付けられて、前記第２のスライド要素の一連の上下動作に応答して、前記第２のスライド要素が、前記第１のスライド要素上の２つの異なる高さに安定して静止することを可能にするデテント機構と、
前記内壁に隣接して前記棚組立体とともに移動するように取付けられたシュラウドであって、前記内壁の近傍で前記デテント機構を閉囲する閉囲空間の少なくとも一部分を形成するシュラウドと、
冷蔵庫の内部空間に露出するシュラウドの表面に取り付けられ前記棚を保持する棚ブラケットであって、前記少なくとも１つのランプが設けられて成る棚ブラケットと、
前記内壁上の所定部位から前記棚組立体上の部位まで導電性経路を提供する前記閉囲空間内に保持された柔軟な導体であって、前記第１の相対位置と前記第２の相対位置との間で前記摺動部材が移動するときに前記閉囲空間内で収縮、延展するサイズに作られた柔軟な導体とを有し、
該方法は、
（ａ）第４の位置から前記棚組立体を持上げて、前記ピンを、前記棚組立体の更なる上動を阻止する第１の位置まで前記相互係合式マルチステップトラックを通して案内する段階と、
（ｂ）前記棚組立体を解放して、該棚組立体の更なる下動を阻止する前記第１の位置と異なる第２の位置で前記ピンによって支持させる段階と、
（ｃ）前記棚組立体を持上げて、前記棚組立体の更なる持上げを阻止する前記第１の位置と異なる第３の位置まで前記ピンを前記相互係合式マルチステップトラックを通して案内する段階と、
（ｄ）前記棚組立体を解放して、前記棚組立体の更なる降下を阻止する前記第２の位置と異なる第４の位置で前記ピンによって支持させるステップとを含み、
前記デテント機構を直接操作することも、電力を切断することもなく得ることができるように照明される棚を移動するようにした冷蔵庫内の棚調整方法。
【請求項１５】
前記デテント機構の一部が冷蔵庫の壁によって直接支持されている請求項１に記載の棚装置。
【請求項１６】
請求項１に記載の調節可能な棚装置を具備した冷蔵庫であって、該冷蔵庫が壁を有しており前記デテント機構の一部が、該冷蔵庫の壁によって直接支持されている冷蔵庫。
【請求項１７】
前記デテント機構の一部が冷蔵庫の壁によって直接支持されている請求項１４に記載の棚調整方法。
【請求項１８】
冷蔵庫が壁を有しており前記デテント機構の一部が、該冷蔵庫の壁によって直接支持されている請求項１１に記載の冷蔵庫。
【発明の詳細な説明】
【技術分野】
【０００１】
本発明は冷蔵庫棚に関し、特に棚内照明を設ける調整可能冷蔵庫棚に関する。
【０００２】
なお、本出願は、２０１０年８月１３日に出願された米国仮出願第61/373,410号の優先権を主張するものであり、この米国仮出願を本願の一部をなすものとして引用する。
【背景技術】
【０００３】
冷蔵庫内の照明ライトは、通常、冷蔵庫コンパートメントの内壁に取付けられる。これらの照明ライトは、冷蔵庫が空であるとき十分な照明を提供するが、棚が品物で一杯になると、光が遮られ、棚の複数の部分に影がかかる。
【０００４】
この問題に対する１つの解決策は、例えば、下の棚の内容物を照明するように棚の下側や、或いは、その棚自体の上の製品を照明するように棚の上縁のように、複数の棚自体に照明システムを設けることである。
【０００５】
棚に設けた照明に関する問題は、照明ライトへの電力の供給である。冷蔵庫の棚は、通常、位置が調整可能である。棚に電気を接続するために、係脱自在の電気コネクタを設けることができるが、これらのコネクタは、望ましくないことには、必然的に冷蔵庫の連続する内壁に穴を要し、導体が露出し、冷蔵庫の内部表面の清掃をより難しくする。
【０００６】
この問題に対する１つの解決策は、本発明の譲受人に譲渡され、本明細書の一部をなすものとして引用する、２００８年１２月３日に出願された国際公開第２００９／０７９２０９号「Inductively Powered Light Assembly」に記載されている。この出願に記載されている発明は、冷蔵庫の壁の背後に配設された一次コイルと、棚に設けた対応のコイルとの間の誘導結合式電力伝送を用いる。複数の棚の位置に及ぶ細長い一次コイルを用いて、柔軟な棚の配置構成を提供することができる。
【０００７】
２０１０年３月１７日に出願された同時係属中の米国出願第61/314,833号「High-Efficiency Wireless Lighting System」には、上記の発明を改良した発明が記載されており、冷蔵庫の壁の中に一連の別個の小型コイルを設け、棚上の対応する棚コイルとの間の電気的結合が一層集中するようになっている。近接するコイルを検知することによって、用いられていないコイルを効率的に無効にすることができる。この出願はまた、本発明の譲受人に譲渡され、引用することにより本明細書の一部をなすものとする。
【発明の概要】
【発明が解決しようとする課題】
【０００８】
無線照明システムのために必要とされる電力コイルを冷蔵庫に組込むことは難しいであろう。冷蔵庫の壁の背後にコイルを配設することには、製造上の難問があろう。また、大きなサイズの電力伝送コイルは、既存の棚ブラケットに容易に組込むことができない。
【０００９】
本発明では、２つの位置の間で棚の「ブラインド（blind）」調整を可能にする棚機構に、２つの位置のいずれにあっても棚に電力を提供する柔軟な連続導体が組合せられる。棚調整機構は、ユーザがこの機構へアクセスしなくともよいので、シュラウドによって全体を覆うことができ、シュラウドはまた、柔軟な導体を隔離し保護することができる。本発明は、棚を移動するときに電気導体を破断する必要がなく、また、本発明によれば、一層精巧な無線エネルギー伝送システムが必要なくなる。
【課題を解決するための手段】
【００１０】
本発明によれば、棚組立体を有した冷蔵庫の調整可能棚装置が提供される。棚装置は、棚と、該棚の領域を照明するために棚組立体に取付けられた少なくとも１つのランプとを備えている。摺動部材が、摺動可能に連結される第１のスライド要素と、摺動可能に連結される第２のスライド要素とを有し、第１のスライド要素が冷蔵庫の内壁に取付けられ、第２のスライド要素が棚組立体に取付けられる。デテント機構が、棚組立体を冷蔵庫内の第１の高さおよび第２の高さに配置するように、第１のスライド要素および第２のスライド要素を第１の相対位置および第２の相対位置に係脱自在に保持する。シュラウドが、内壁に隣接して棚組立体とともに移動するように取付けられており、該シュラウドによって、デテント機構を閉囲する内壁に近接する閉囲空間の少なくとも一部分が形成される。柔軟な導体が、内壁上の部位から棚組立体上の部位まで導電性経路を提供する閉囲空間内に保持され、第１の相対位置と第２の相対位置との間で摺動部材が移動するときに閉囲空間内で収縮、延展するサイズに作られる。
【００１１】
棚の簡単な調整を可能にする照明される棚に電力を送出する簡単な方法を提供することが、本発明の少なくとも１つの実施の形態の特徴である。
【００１２】
調整可能冷蔵庫棚装置は、開口部を有し、この開口部が冷蔵庫の内側を向いた状態で内壁に取付可能なポケットを更に備えることができ、このポケットは、シュラウドと協働して、閉囲空間を形成する。
【００１３】
損傷またはもつれから導体を保護するために全体が閉囲されることができる導体システムを提供することが、本発明の少なくとも１つの実施の形態の特徴である。
【００１４】
シュラウドは、ポケットの鉛直方向の高さと、第１の相対位置と第２の相対位置との間の鉛直方向の高さの差との合計よりも小さい鉛直方向の高さを有することができる。加えて、シュラウドは、内壁の外側に設置されて、第１の位置と第２の位置の双方でシュラウドによって覆われる、シュラウドの鉛直方向の高さよりも小さい鉛直方向の高さを有する内壁内の開口部を通して、冷蔵庫の内部に連通することができる。
【００１５】
大きな棚分離を必要とする場合があるようなシュラウドの高さを過度に増加させることなく、シュラウドが、全ての調整位置で導体を保持する閉囲空間を覆うことを可能にすることが、本発明の少なくとも１つの実施の形態の特徴である。ポケットに対して開口部を部分的に覆うことによって、中程度のシュラウドサイズで大きなポケットサイズを得ることができる。
【００１６】
デテント機構は、相互係合式マルチステップトラックおよびピンとすることができ、一方は第１のスライド要素に取付けられ、一方は第２のスライド要素に取付けられて、第２のスライド要素の一連の上下動作に応答して、第２のスライド要素が、第１のスライド要素上の異なる高さに安定して静止することを可能にする。
【００１７】
清掃するのが容易である表面を提供するために、シュラウドの下に全体が含まれることができる調整機構を提供することが、本発明の少なくとも１つの実施の形態の特徴である。
【００１８】
柔軟な導体は、第１の位置と第２の位置との間の垂直分離の距離の少なくとも１．５倍の長さを有することができる。
【００１９】
その過剰の長さによって容易にされる導体の自然な収縮を可能にすることによって、柔軟な導体に関する牽引器機構の必要性をなくすことが、本発明の少なくとも１つの実施の形態の特徴である。
【００２０】
内壁上での柔軟な導体の取付部位は、第１の位置と第２の位置との間の全ての位置において、棚ブラケット上での取付部位よりも高くすることができる。
【００２１】
水分凝縮のために自然なトラップを提供する導体のドレープ形成を提供することが、本発明の少なくとも１つの実施の形態の特徴である。
【００２２】
調整可能冷蔵庫棚装置は、第１と第２の部位の間で柔軟な電気コネクタ内に係脱自在の結合部を設ける電気コネクタを含むことができる。
【００２３】
整備または組立てのために棚の簡単な設置または取外可能にすることが、本発明の少なくとも１つの実施の形態の特徴である。
【００２４】
電気コネクタは、柔軟な導体の第１の取付部位とすることができる。
電気コネクタから遠くへ水分を導くことが、本発明の少なくとも１つの実施の形態の特徴である。
【００２５】
本発明の他の特徴および利点は、以下の詳細な説明、特許請求の範囲、、面を検討することによって当業者に明らかになる。図面では、同様の数字は同様の特徴を指すために使用される。
【図面の簡単な説明】
【００２６】
【図１】本発明とともに用いるための棚組立体の正面斜視図であり、調整機構であって、消費者がこの機構にアクセスすることなく棚を移動させることによって操作することができる、調整機構を覆うシュラウドを有する棚ブラケットによって冷蔵庫の内壁に接して支持される棚を示す。
【図２】冷蔵庫壁内のキャビティ内への柔軟な導体の位置決めを示す調整機構およびシュラウドの拡大側立面図である。
【図３】第１の高さと第２の高さとの間で棚のブラインド調整を可能にするために、可動ピンに係合する図２のシュラウドの後表面に形成されたカージオイドトラックの正面立面仮想図である。
【図４】棚のＬＥＤ照明用の代替の場所を示す図２の組立て済みのシュラウドおよび機構の断面立面図である。
【図５】柔軟な導体を保持するための、内壁の外側へのポケット組立体の搭載を示す、冷蔵庫の内壁の組立分解部分図である。
【図６ａ】棚が第１の位置にある状態の柔軟な導体の収縮状態を示す、内壁のちょうど外側から冷蔵庫の中を見る図５の開口部の立面図である。
【図６ｂ】棚が第２の位置にある状態の柔軟な導体の収縮状態を示す、内壁のちょうど外側から冷蔵庫の中を見る図５の開口部の立面図である。
【図７ａ】複数レベルのトラック調整を可能にする代替のシュラウド設計の正面斜視図である。
【図７ｂ】複数レベルのトラック調整を実現する代替のシュラウド設計の後面斜視図である。
【発明を実施するための形態】
【００２７】
本発明の実施形態を詳細に説明する前に、本発明が、その適用において、以下の説明で述べられるか或いは図面で示される構成要素の構成および配置の詳細に限定されないことは理解されよう。本発明は、他の形態でも実施が可能であり、また、種々の方法で実施または実行することが可能である。同様に、本明細書で使用される言い回しおよび用語は、説明のためのものであり、制限的であるともみなされるべきでないことは理解されよう。「含む」および「備える」並びにその変形の使用は、その後に挙げられる事項およびその均等物並びに更なる事項およびその均等物を包含することを意図される。
【００２８】
ここで図１を参照すると、冷蔵庫１０はハウジング１２を具備している。該ハウジングは、断熱された左側壁、右側壁、上部壁、下部壁および後側壁を有して、前方に開口する概ね矩形の閉囲された空間を形成するようにできる。ドア１４は、一方の側壁の前縁で蝶番式に取付けられており、該ドアを閉じると、圧縮機システムまたは同様な冷凍システム（図示せず）によって所望の温度に維持される冷却された空間が形成される。
【００２９】
水平で平坦な１または複数の棚１６が、シュラウド２０によって覆われた機構１８によって、庫内で種々の高さに設置できるように左右側面上に支持されている。機構１８によって、棚１６と、冷蔵庫１０の対面する２つの内側壁２２との間が連結される。棚１６は、機構１８に直接アクセスすることなく、単に棚に力を加えることによって、２つの異なる高さの間で上げ下げすることが可能となっている。
【００３０】
ここで図２を参照すると、冷蔵庫１０の内側壁２２は、全体が長方形の窪んだポケット２６を含むことができる。ポケット２６の上端には、該ポケットの外部へ突出するピン２８が設けられている。該ピンは、水平に左右方向に移動自在に水平スライドトラック３０内に保持されている。ピン２８は、シュラウド２０の後表面からピン２８に対面する略ハート形のマルチステップトラック３２に係合することができる。略ハート形のマルチステップトラック３２は、以下で述べるように、シュラウド２０を上位置と下位置に安定して保持するように協働する。シュラウド２０は、垂直案内機構、例えば、シュラウド２０に設けられた外側に突出する左右の垂直レール３４によってポケット２６に対して摺動自在に保持することができる。左右の垂直レール３４はポケット２６の左側と左側に配設された対応の溝部３６に係合する。この機構または種々の他の機構を用いて、ポケット２６に対して垂直移動するようにシュラウド２０を拘束することができる。
【００３１】
棚ブラケット３７を冷蔵庫の内部空間に露出するシュラウドの表面に支持させるようにできる。棚ブラケット３７は棚１６を保持し、例えば棚１６の上部、或いは、図４に示す異なる実施形態では、１つ下の棚の下部を照明する発光ダイオード（ＬＥＤ）を使用した照明器４０が設けられている。シュラウド２０を移動させることによって、それに対応して棚１６が移動する。
【００３２】
更に、図２を参照すると、ポケット２６内に設けられたコネクタ４２を内側壁２２の背後に設けられた電力源に接続して、柔軟な電気ケーブル４４を接続するようにできる。柔軟な電気ケーブル４４は、シュラウド２０の背後のポケット２６内で（ジグザグ平面形態で）緩く収縮されポケット２６の下部へ延設するようにできる。ポケット２６の下方部分は、以下でより詳細に述べるように、冷蔵庫の内側壁２２の一部分５０によって覆うことができる。ここで、本明細書で使用される用語「収縮」は、ポケット２６の中へ柔軟な電気ケーブル４４をあらゆる形態に収縮させたり或いは折畳んだりすることを意味する。
【００３３】
ここで図２、３を参照すると、略ハート形のマルチステップトラック３２は、シュラウド２０の後面からシュラウド２０内へ延びる溝とすることができ、一般に、上頂点に結合する２つの下ローブを有する概ね倒立ハート形（カージオイド）を呈している。略ハート形のマルチステップトラック３２は、ピン２８が、２つの安定位置の間で移動するときにピン２８を案内する。２つの安定位置とは、カージオイドのローブ間のノッチである位置４６ａにピン２８がある（シュラウド２０に対して）下位置および略ハート形のマルチステップトラック３２の最も上の頂点の位置４６ｂにピンがある上位置である。ピン２８の上位置は、棚１６の最も下の位置を表し、また、その逆の場合は反対のものとなる。下位置にあるシュラウド２０（ピン２８はシュラウド２０の上位置４６ｂにある）で始めると、略ハート形のマルチステップトラック３２は、全体が非対称であるため、位置４６ｂで出発して棚１６およびシュラウド２０の持上げによってシュラウド２０に対して下方に移動するピン２８は、略ハート形のマルチステップトラック３２の最も左の溝に追従して、略ハート形のマルチステップトラック３２の最も左のローブの位置４６ｃに至り、そこで、ピン２８は、更なる相対的下方移動に抗してトラップされる。
【００３４】
位置４６ｃからの棚１６およびシュラウド２０の下方移動は、ピン２８が位置４６ａまで上昇することを要求し、位置４６ａで、ピン２８は、出発した位置４６ｂにあったときの棚位置に対して高い第２の位置に棚１６を保持するように略ハート形のマルチステップトラック３２を支持する。
【００３５】
新たな、棚１６およびシュラウド２０の上方移動は、ピン２８を、シュラウド２０に対して下方に移動させて、略ハート形のマルチステップトラック３２の最も右のローブの位置４６ｄに至らしめ、位置４６ｄで、この位置からのピン２８のその後の（シュラウド２０の下方移動による）上方移動は、ピン２８を位置４６ｂに戻らせる。
【００３６】
そのため、消費者による棚１６（従って、シュラウド２０）上での連続する上方および下方移動は、棚１６を、上位置と下位置との間で相安定的に移動させる。ピン２８は、カージオイドトラックを通って移動するとき、略ハート形のマルチステップトラック３２に追従するのに必要なピン２８の左右移動に対処するために、スライドトラック３０内で僅かに摺動することができる。同様の設計のカージオイドトラックは、本発明の譲受人に譲渡され、２００５年２月１６日に出願された欧州特許第１５６３７６２号「Easy Height Adjustment Device for Refrigerator Shelves」に全体が記載されている。同特許出願は、本願の一部をなすものとして引用する。
【００３７】
略ハート形のマルチステップトラック３２とピン２８の相対位置は、反転されたカージオイドトラックを用いる同様の機構を実現するために反転することができることが理解されるであろう。
【００３８】
ここで図４を参照すると、ケーブル４４は、棚ブラケット３７内のエントリ部位４９を通過した後、棚ブラケット３７に保持されたプリント回路基板５６および／またはプリント回路基板５８に接続することができ、ケーブル４４は、透明窓または半透明窓６４または６６の背後で棚ブラケット３７のコンパートメント６０または６２に含まれる１または複数のＬＥＤ４０に電力を提供する。
【００３９】
棚１６は、強化ガラス板とすることができるため、棚１６の上部のＬＥＤ４０からの光は、棚１６を照明することができ、一部の光は、棚１６を通過して、下の棚を照明することができる。逆に、棚１６の下のＬＥＤ４０からの光は、上の棚を通した反射によって１つ下の棚を照明することができる。
【００４０】
ここで図５を参照すると、ポケット２６は、１つの面上で浅いトレー開口部を提供する別個の組立体６８とすることができる。組立体６８は、内側壁２２の外側から内側壁２２に取付けることができるため、ポケット２６の開口面が、内側壁２２に刻まれた開口部７０を通して露出される。内側壁２２の開口部７０は、ポケット２６の鉛直方向の高さに比べて、鉛直方向の高さを小さくすることができ、従って、冷蔵庫の内側壁２２を通した突破口を最小にする。組立体６８は、ピン２８を支持し、コネクタ４２およびケーブル４４を保持することができる。
【００４１】
同様に図６ａ、６ｂを参照すると、一実施形態の開口部７０の鉛直方向の高さ７２は、シュラウド２０の鉛直方向の高さ７４（図３に示す）から、略ハート形のマルチステップトラック３２によって規定されるその安定静止状態にある棚１６の２つの位置（図３に示す）間の垂直分離７６を引いた値より大きくないことになる。こうして、シュラウド２０の鉛直方向の高さ７４は、棚１６が、その最も低い位置（図６ａに示す）およびその最も高い位置（図６ｂに示す）の双方にあるときに開口部７０を依然として覆いながら、最小にすることができる。この小さな開口部７０は、小さなシュラウド２０を可能にし、次に、冷蔵庫１０における棚１６のより密接した間隔を可能にする。より一般的には、シュラウド２０は、ポケット２６の開口部の鉛直方向の高さ７５と棚位置の垂直分離７６の和よりも小さい鉛直方向の高さ７４を有するように制約することができる。この和に等しい高さを有するシュラウド２０は、開口部７０がポケット２６と同じ高さを有する場合に必要とされることになる。シュラウド２０でポケット２６が覆われたままにしながら、ポケット２６のサイズをこうして増加させることができることは、ケーブル４４の屈曲の減少を可能にし、ケーブル４４の重量が、牽引機構または同様なものなしで、ポケット２６内へのケーブル４４の自然な引っ込みを提供することを可能にする。
【００４２】
棚１６がその最も低い位置にあるとき、ケーブル４４は、内側壁２２の一部分５０の背後に収容することができ、一方、棚１６がその最も高い位置にあるとき、ケーブル４４は、コネクタ４２から下方に単一ループでドレープ形成することができる。全ての場合に、コネクタ４２は、棚および棚ブラケット３７のエントリ部位４９よりも高いことになる。
【００４３】
ここで図７ａ、７ｂを参照すると、代替の設計では、棚調整の３つ以上の異なる高さを、上述した略ハート形のマルチステップトラック３２と同様の原理に従って働くが、３つ以上の安定静止位置を有する交互対枝式マルチステップトラック３２′によって得ることができる。具体的には、交互対枝式マルチステップトラック３２′は、ピン２８がシュラウド２０を支持することができる６つの安定静止位置７８ａ〜７８ｅを提供する。特に、この設計は、（シュラウド２０上の最も高いレベルから最も低いレベルの）４つの異なるレベル８０ａ〜８０ｄを提供し、それらのレベルで、シュラウド２０、従って棚（図７に示さず）は、冷蔵庫の内側壁２２に対するシュラウド２０の順次の上方移動および下方移動によって安定して位置決めすることができる。
【００４４】
調整プロセス中、ピン２８は、レベル８０ａ（最も低い棚位置）の最も高い静止位置７８ａから、次に、上方移動、次の下方移動によってレベル８０ｂの静止位置７８ｂに、そして同様にして、その後レベル８０ｃの静止位置７８ｃに、次に、レベル８０ｄの静止位置７８ｄに移動することができる。引き続いての、上方移動、次の下方移動は、ピン２８を上方に、最初にレベル８０ｃの静止位置７８ｅに、次にレベル８０ｂの静止位置７０ｆに、最後に再び静止位置７８ａに循環させる。略ハート形のマルチステップトラック３２および交互対枝式マルチステップトラック３２′のこれらの２つの例から、同じシュラウド２０によって、棚を下方に移動させるときと対照的に、棚を上方に移動させるときに、異なる数のレベルを含む任意の数のレベル８０を設けることができることが認識されるであろう。
【００４５】
図７ａ、７ｂの実施形態はまた、壁搭載式パネル８２を使用することによって、冷蔵庫１０の内側壁２２にシュラウド２０を取付ける代替の方法を示し、壁搭載式パネル８２は、例えば自己タッピングネジ（図示せず）およびパネル８２内の搭載穴８４によって内側壁２２の内部表面に取付けることができる。壁搭載式パネル８２は、ポケット２６を提供する別個の構成要素８６を、（冷蔵庫１０の内部に対して）その後表面上で支持することができ、こうした構成要素８６は、内側壁２２内の穴を通して嵌合することができるか、または、壁搭載式パネル８２の厚さ内に全体的に含めることができる。この実施形態では、垂直レール３４は、壁搭載式パネル８２上に最も容易に設置することができ、対応する溝部３６は、シュラウド２０上に設置することができる。別個のコネクタ４２′は、ケーブル４４（フラットケーブルとすることができる）をプリント回路カード５６に取付けることができる。
【００４６】
本発明の種々の特徴が、添付特許請求の範囲で述べられる。本発明が、その適用において本明細書で述べる構成要素の構成および配置の詳細に限定されないことが理解されるべきである。本発明は、他の実施形態が可能であり、また、種々の方法で実施または実行されることが可能である。上述の形態の変形形態および変更形態が本発明の範囲内にある。本明細書で開示され規定される発明が、述べられたかまたはテキストおよび／または図面から明らかな個々の特徴のうちの２つ以上の全ての代替の組合せに拡張されることも理解される。これらの異なる組合せは全て、本発明の種々の代替の態様を構成する。本明細書で述べる実施形態は、本発明を実施するために知られている最良の形態を説明し、当業者が本発明を利用することを可能にすることになる。
【図１】
0006039557.tif 000002
【図２】
0006039557.tif 000003
【図３】
0006039557.tif 000004
【図４】
0006039557.tif 000005
【図５】
0006039557.tif 000006
【図６ａ】
0006039557.tif 000007
【図６ｂ】
0006039557.tif 000008
【図７ａ】
0006039557.tif 000009
【図７ｂ】
0006039557.tif 000010